(57)【要約】      （修正有）【課題】スタジオポートレート撮影を狭小なスペースにおいて行うことができるとともに、ライティングの調整を容易に行うことができる撮影システムを提供する。【解決手段】  まず、上記のように被写体２２の両側に歪み補正用部材３６が平行に立てられた状態で、軟調ライティングの照明で広角レンズを用いて撮影を行う（ステップＳ１０）。次に、撮影された画像に含まれる歪み補正用部材３６に付された目盛りを画像処理装置３２に認識させ、歪み補正用部材３６が平行で目盛りの間隔が等間隔になるように画像を補正し、撮影された画像の歪みの補正（ステップＳ１２）を行う。そして、背景の外縁部を折り返す、又は引き伸ばす等の処理を行って、画像の背景を拡げる処理を行う（ステップＳ１４）。そして、画像処理装置３２により画像のコントラストを上げる処理を行って（ステップＳ１６）、プリンタ３４で画像のプリントを行う（ステップＳ１８）。【選択図】      図５
2006050536.tif 000002
【特許請求の範囲】
【請求項１】
広角レンズを備える撮影手段と、
前記撮影手段と、被写体を照明する照明手段と、前記被写体の背景部材とを有し、前記撮影手段によって人物の略全身を撮影するためのスタジオユニットと、
前記広角レンズを使用し、前記被写体と前記撮影手段の間の距離が短いために前記被写体の立体的形状により発生する前記画像の歪みを補正する補正手段と、
を備えることを特徴とする撮影システム。
【請求項２】
被写体の画像を撮影する撮影手段と、
前記撮影手段と、前記被写体を照明する照明手段と、前記被写体の背景部材とを有し、前記撮影手段によって人物の略全身を撮影するためのスタジオユニットと、
前記撮影された画像の外縁部の画像をコピーし前記画像の縁で折り返す、又は外縁部の画像を引き延ばす処理を行って、前記被写体の背景を拡げる背景拡大手段と、
を備えることを特徴とする撮影システム。
【請求項３】
被写体の画像を撮影する撮影手段と、
前記撮影された画像から前記被写体の部分を切り出して別の背景と合成する背景合成手段と、
前記被写体部分と前記被写体の合成される背景の色相及び濃度が略同じになるように、前記被写体の照明を行う照明手段と、
前記撮影手段と、前記照明手段と、前記被写体の背景部材とを有し、前記撮影手段によって人物の略全身を撮影するためのスタジオユニットと、
を備えることを特徴とする撮影システム。
【請求項４】
被写体の画像を撮影する撮影手段と、
前記被写体を均一な光量で照明する照明手段と、
前記撮影された画像のコントラストを上げて前記被写体に立体感をつける補正手段と、
前記撮影手段と、前記照明手段と、前記被写体の背景部材とを有し、前記撮影手段によって人物の略全身を撮影するためのスタジオユニットと、
を備えることを特徴とする撮影システム。
【請求項５】
広角レンズを備える撮影手段と、
前記撮影手段と、被写体を照明する照明手段と、前記被写体の背景部材とを有し、前記撮影手段によって人物の略全身を撮影するためのスタジオユニットと、
前記広角レンズを使用し、前記被写体と前記撮影手段の間の距離が短いために前記被写体の立体的形状により発生する前記画像の歪みを補正する歪み補正手段と、
前記撮影された画像の外縁部の画像をコピーし前記画像の縁で折り返す、又は外縁部の画像を引き延ばす処理を行って、前記被写体の背景を拡げる背景拡大手段と、
前記撮影された画像のコントラストを上げて前記被写体に立体感をつけるコントラスト補正手段と、
を備えることを特徴とする撮影システム。
【請求項６】
広角レンズを備える撮影手段と、
前記撮影手段と、被写体を照明する照明手段と、前記被写体の背景部材とを有し、前記撮影手段によって人物の略全身を撮影するためのスタジオユニットと、
前記広角レンズを使用し、前記被写体と前記撮影手段の間の距離が短いために前記被写体の立体的形状により発生する前記画像の歪みを補正する歪み補正手段と、
前記撮影された画像のコントラストを上げて前記被写体に立体感をつけるコントラスト補正手段と、
前記撮影された画像から前記被写体の部分を切り出して別の背景と合成する背景合成手段と、
を備えることを特徴とする撮影システム。
【請求項７】
前記照明手段は、前記被写体の左右に配設された一対のストロボを含み、
前記背景における被写体の左右の光量比に基づいて前記一対のストロボの光量比を調整する光量比調整手段を更に備えることを特徴とする請求項３又は６記載の撮影システム。
【請求項８】
前記ストロボの光量比は、２：１から３：１であることを特徴とする請求項７記載の撮影システム。
【請求項９】
前記撮影手段の視野の外縁に互いに平行に配置され、所定の間隔で目盛りが刻まれた少なくとも２本の直線状の歪み補正用部材を更に備え、
前記補正手段が、前記歪み補正用部材が直線でかつ平行になるように、更に前記目盛りが等間隔になるように前記画像を補正することを特徴とする請求項１、５から８のいずれか１項記載の撮影システム。
【請求項１０】
前記被写体の背景部材、及び前記スタジオユニットの床面に歪み補正用マーカが所定の個数形成されており、
前記補正手段は、前記歪み補正用マーカに基づいて前記画像を補正することを特徴とする請求項１、５から８のいずれか１項記載の撮影システム。
【請求項１１】
前記撮影手段の視野内に配置され、白色から濃いグレーに段階的に濃度の変化するストライプが描かれたグレーチャート又はカラーチャートと、
前記グレーチャート又はカラーチャートの画像をリファレンスとしてホワイトバランスの調整を行うホワイトバランス調整手段とを更に備え、
前記背景拡大手段は、前記背景を拡げる際に、前記グレーチャート又はカラーチャートの画像を削除することを特徴とする請求項２、５から８のいずれか１項記載の撮影システム。
【請求項１２】
前記被写体の正面に配置され、照明光を反射する反射手段を更に備え、
前記照明手段は前記反射手段を照明し、前記反射手段からの反射光で前記被写体を照明することを特徴とする請求項４から８のいずれか１項記載の撮影システム。
【発明の詳細な説明】
【技術分野】
【０００１】
本発明は撮影システムに係り、特にスタジオにおけるポートレート撮影を行う撮影システムに関する。
【背景技術】
【０００２】
従来のスタジオポートレート撮影においては、被写体の画像が歪まないようにするため中望遠レンズを使用する。中望遠レンズは焦点距離が長く（およそ８５〜１００ｍｍ）、画像の周縁部における歪みが小さいためポートレート撮影に適している。一方、中望遠レンズを用いる場合には、画角を確保するために被写体とカメラの間の距離を十分に確保する必要がある。また、一般にスタジオポートレート撮影の写真は横幅の長い写真サイズ（例えば、縦８インチ×横１０インチ（縦２０３ｍｍ×横２５４ｍｍ））にプリントされるため、被写体の横方向の背景の幅も十分確保する必要があった。このため、従来のスタジオポートレート撮影においては、例えば、４ｍ×８ｍ〜１０ｍ程度の広い空間を必要とする。
【０００３】
また、従来のスタジオポートレート撮影においては、被写体や背景の明るさやコントラストの調整（絵作り）をライティング（照明）によって行う。このため、例えば、被写体を照らすメインライトのほか、背景照明用の２灯のバックグラウンドライトや、被写体の両側の光量比を調整するフィルインライト、スカイライト等の５灯程度のストロボを必要とする。そして、被写体と各ストロボの位置関係や出力（調光）を厳密に決める必要がある。例えば、スカイライトは人物を上から照らして髪の毛を微細に見せるように照明するために設けられるストロボであるが、スカイライトと人物の位置が少しずれただけで顔に光が入ってしまう。
【０００４】
このようなライティングの条件の調整する方法の例として、例えば、特許文献１には、スタジオでのストロボ撮影において、異なるライティング条件（各ストロボの位置や出力）で撮影された画像を複数記録しておき、撮影時にこの記録された画像を読み出して被写体に適したライティング条件を選択する方法等について開示されている。
【特許文献１】特開平１１−２４１３８号公報
【発明の開示】
【発明が解決しようとする課題】
【０００５】
上述のように従来のスタジオポートレート撮影には、広いスタジオスペースを必要とするという問題がある。
【０００６】
また、上述のように従来のスタジオポートレート撮影においては、多数のストロボの位置や出力を最適にして撮影を行うのは高度な技術を要するという問題がある。上記の特許文献１に開示されたライティング・パターン記録撮影方法によれば、撮影時にあらかじめ記録されたサンプル画像に基づいて被写体に適したライティング・パターンを選択して撮影を行うことにより、ライティング・パターンの選択を簡略化することができるが、本発明とは構成を異とするものである。
【０００７】
本発明はこのような事情に鑑みてなされたもので、スタジオポートレート撮影を狭小なスペースにおいて行うことができるとともに、ライティングの調整を容易に行うことができる撮影システムを提供することを目的とする。
【課題を解決するための手段】
【０００８】
前記目的を達成するために請求項１に係る撮影システムは、広角レンズを備える撮影手段と、前記撮影手段と、被写体を照明する照明手段と、前記被写体の背景部材とを有し、前記撮影手段によって人物の略全身を撮影するためのスタジオユニットと、前記広角レンズを使用し、前記被写体と前記撮影手段の間の距離が短いために前記被写体の立体的形状により発生する前記画像の歪みを補正する補正手段とを備えることを特徴とする。
【０００９】
請求項１に係る撮影システムによれば、被写体とカメラの距離を短くすることができる。
【００１０】
請求項２に係る撮影システムは、被写体の画像を撮影する撮影手段と、前記撮影手段と、前記被写体を照明する照明手段と、前記被写体の背景部材とを有し、前記撮影手段によって人物の略全身を撮影するためのスタジオユニットと、前記撮影された画像の外縁部の画像をコピーし前記画像の縁で折り返す、又は外縁部の画像を引き延ばす処理を行って、前記被写体の背景を拡げる背景拡大手段とを備えることを特徴とする。
【００１１】
請求項２に係る撮影システムによれば、画像における被写体の割合が大きい場合にも、背景を拡げることによりプリントで必要なサイズを確保できるため、被写体にカメラを近づけて撮影することができる。
【００１２】
請求項３に係る撮影システムは、被写体の画像を撮影する撮影手段と、前記撮影された画像から前記被写体の部分を切り出して別の背景と合成する背景合成手段と、前記被写体部分と前記被写体の合成される背景の色相及び濃度が略同じになるように、前記被写体の照明を行う照明手段と、前記撮影手段と、前記照明手段と、前記被写体の背景部材とを有し、前記撮影手段によって人物の略全身を撮影するためのスタジオユニットとを備えることを特徴とする。
【００１３】
請求項３に係る撮影システムによれば、上記の効果に加え、背景を自由に選択できる。
【００１４】
請求項４に係る撮影システムは、被写体の画像を撮影する撮影手段と、前記被写体を均一な光量で照明する照明手段と、前記撮影された画像のコントラストを上げて前記被写体に立体感をつける補正手段と、前記撮影手段と、前記照明手段と、前記被写体の背景部材とを有し、前記撮影手段によって人物の略全身を撮影するためのスタジオユニットとを備えることを特徴とする。
【００１５】
請求項５に係る撮影システムは、広角レンズを備える撮影手段と、前記撮影手段と、被写体を照明する照明手段と、前記被写体の背景部材とを有し、前記撮影手段によって人物の略全身を撮影するためのスタジオユニットと、前記広角レンズを使用し、前記被写体と前記撮影手段の間の距離が短いために前記被写体の立体的形状により発生する前記画像の歪みを補正する歪み補正手段と、前記撮影された画像の外縁部の画像をコピーし前記画像の縁で折り返す、又は外縁部の画像を引き延ばす処理を行って、前記被写体の背景を拡げる背景拡大手段と、前記撮影された画像のコントラストを上げて前記被写体に立体感をつけるコントラスト補正手段とを備えることを特徴とする。
【００１６】
請求項５に係る撮影システムによれば、被写体とカメラの距離を短くできるとともに、背景を拡大することによりプリントに必要なサイズを確保できるため、省スペースの撮影スタジオを実現できる。
【００１７】
請求項６に係る撮影システムは、広角レンズを備える撮影手段と、前記撮影手段と、被写体を照明する照明手段と、前記被写体の背景部材とを有し、前記撮影手段によって人物の略全身を撮影するためのスタジオユニットと、前記広角レンズを使用し、前記被写体と前記撮影手段の間の距離が短いために前記被写体の立体的形状により発生する前記画像の歪みを補正する歪み補正手段と、前記撮影された画像のコントラストを上げて前記被写体に立体感をつけるコントラスト補正手段と、前記撮影された画像から前記被写体の部分を切り出して別の背景と合成する背景合成手段とを備えることを特徴とする。
【００１８】
請求項６に係る撮影システムによれば、省スペースでスタジオポートレート撮影を行えるとともに、被写体を合成する背景を自由に選択できる。
【００１９】
請求項７に係る撮影システムは、請求項３又は６において、前記照明手段は、前記被写体の左右に配設された一対のストロボを含み、前記背景における被写体の左右の光量比に基づいて前記一対のストロボの光量比を調整する光量比調整手段を更に備えることを特徴とする。
【００２０】
請求項７に係る撮影システムによれば、背景と被写体の左右の光量比が一致するように被写体の照明を行うことにより、違和感のない合成画像を取得できる。
【００２１】
請求項８に係る撮影システムは、請求項７において、前記ストロボの光量比は、２：１から３：１であることを特徴とする。請求項８は、一対のストロボの光量比を限定したものである。
【００２２】
請求項９に示すように請求項１、５から８に係る撮影システムにおいて、前記撮影手段の視野の外縁に互いに平行に配置され、所定の間隔で目盛りが刻まれた少なくとも２本の直線状の歪み補正用部材を更に備え、前記補正手段が、前記歪み補正用部材が直線でかつ平行になるように、更に前記目盛りが等間隔になるように前記画像を補正することを特徴とする。
【００２３】
請求項９に係る撮影システムによれば、上記した効果に加え、直線状の歪み補正用部材を用いることにより、画像の歪みの補正を容易に行うことができる。
【００２４】
請求項１０に示すように請求項１、５から８に係る撮影システムにおいて、前記被写体の背景部材、及び前記スタジオユニットの床面に歪み補正用マーカが所定の個数形成されており、前記補正手段は、前記歪み補正用マーカに基づいて前記画像を補正することを特徴とする。
【００２５】
請求項１０に係る撮影システムによれば、歪み補正用のマーカを用いることにより、画像の歪みの補正を容易に行うことができる。
【００２６】
請求項１１に示すように請求項２、５から８に係る撮影システムにおいて、前記撮影手段の視野内に配置され、白色から濃いグレーに段階的に濃度の変化するストライプが描かれたグレーチャートと、前記グレーチャートの画像をリファレンスとしてホワイトバランスの調整を行うホワイトバランス調整手段とを更に備え、前記背景拡大手段は、前記背景を拡げる際に、前記グレーチャートの画像を削除することを特徴とする。
【００２７】
請求項１１に係る撮影システムによれば、被写体とともに撮影されるグレーチャート又はカラーチャートを利用して安定したホワイトバランス調整を行うことができる。
【００２８】
請求項１２に示すように請求項４から８に係る撮影システムにおいて、前記被写体の正面に配置され、照明光を反射する反射手段を更に備え、前記照明手段は前記反射手段を照明し、前記反射手段からの反射光で前記被写体を照明することを特徴とする。
【００２９】
請求項１２に係る撮影システムによれば、ライティングの設定が容易になるとともに、均一な光量で被写体を照明するため、白い部分の画像がとんだり、暗い部分の画像が潰れたりする等の撮影の失敗を防ぐことができる。
【発明の効果】
【００３０】
本発明によれば、狭小なスペースでのポートレート撮影が可能になるとともに、ライティングの調整が容易になる。また、本発明の撮影システムによれば、狭小なスペースにおいて近接照明下での撮影が可能となるため、証明写真や小さい被写体の撮影を行うこともできる。
【発明を実施するための最良の形態】
【００３１】
以下添付図面に従って本発明に係る撮影システムの好ましい実施の形態について説明する。図１は本発明の一実施形態に係る撮影システムを示す斜視図、図２はその平面図、図３は被写体向きの正面図である。
【００３２】
撮影システム１０は、略直方体状のスタジオユニット１２と、スタジオユニット１２内の撮影装置等から構成されている。スタジオユニット１２の縦の長さＤ１は一例で２ｍ〜４ｍであり、横の長さＤ２は一例で１．３ｍ〜２ｍである。スタジオユニット１２の側面には、白色等の無地のバックやムラバック等の背景部材（バック）１４及び反射部材（レフ板）１６が設けられている。ここで、反射部材１６としては、例えば、白色の布やスクリーン、レフ板等を用いることができる。
【００３３】
図１の符号１８はスタジオユニット１２を補強するためのワイヤであり、符号２０はストロボを取り付けるための部材である。また、撮影装置及びカメラマンは、スタジオユニット１２の外側の領域２１に配置される。なお、図１においては、撮影装置等は省略されている。
【００３４】
図２に示すように、スタジオユニット１２内の上方には被写体２２を上から照明するためのスカイライト２４、右下には被写体２２の両側の光量を調整するためのフィルインライト２６、及び被写体を斜めに照明するためのメインライト２８が配置されている。
【００３５】
図２に示すように、フィルインライト２６及びメインライト２８はレフ板１６に向けて配置されており、レフ板１６からの反射光で被写体２２を間接的に照明する。また、従来のスタジオポートレート撮影においては、スカイライトはメインライト等よりやや明るく（半絞り程度）なるように調整されているが、本実施形態の撮影システム１０においては、３灯のストロボで被写体２２及びバック１４を照明する光量が均一になるように（例えば、被写体の左右の光量比が約２：１から３：１に）調整されている（以下の説明では、軟調ライティングという）。これにより、被写体２２の位置のずれによる影響が小さくなるため、ライティングの設定が容易になる。
【００３６】
図２におけるスタジオユニット１２内の下方にはデジタルカメラ３０が配置されている。デジタルカメラ３０は、広角レンズ（例えば、３５ｍｍ換算で１７〜５０ｍｍ程度）を備えており、画像処理装置３２及びプリンタ３４と接続されている。
【００３７】
図２及び図３において被写体２２の両側に配置された符号３６は歪み補正用の部材である。図３に示すように、歪み補正用部材３６は柱状であり、被写体２２の両側に平行に立てられている。歪み補正用部材３６には、所定の間隔（例えば、１０ｃｍ間隔）で目盛りが付されている。なお、歪み補正用部材３６を用いて歪みの補正を行う方法については後述する。
【００３８】
図３の符号３７はグレーチャートである。図４は、グレーチャートの例を示す平面図である。図４に示すように、グレーチャート３７は、白色から濃いグレーに段階的に濃度の変化する縦縞模様が描かれたパネルであり、その寸法は約２０ｃｍ〜３０ｃｍである。このグレーチャート３７は、デジタルカメラ３０の視野内に、被写体２２と重ならないように配置される。グレーチャート３７は、被写体２２とともに撮影され、ホワイトバランスの調整を行う際のリファレンスとして用いられる。なお、図４においては、グレーチャート３７の縦縞模様は、左から右に色の濃度が薄くなるように示されているが、右から左に薄くなってもよい。
【００３９】
なお、本実施形態においては、スタジオユニット１２は６本の柱で支持される構造となっているが、柱を設けずにバック１４やレフ板１６、各ストロボを天井等から吊り下げる構造としてもよい。
【００４０】
以下、撮影システム１０におけるスタジオポートレート撮影の方法について説明する。図５は、本発明の一実施形態に係る撮影方法を示すフローチャートである。
【００４１】
まず、上記のように被写体２２を軟調ライティングで照明して撮影を行う（ステップＳ１０）。次に、画像処理装置３２により撮影された画像の歪みの補正（ステップＳ１２）と、背景処理を行う（ステップＳ１４）。そして、画像処理装置３２により画像のコントラストを上げる処理を行って（ステップＳ１６）、プリンタ３４で画像のプリントを行う（ステップＳ１８）。この歪みの補正方法及び背景処理の方法については後述する。
【００４２】
次に、本実施形態の歪みの補正方法について説明する。図６は、近接撮影で生じる歪みを説明するための図である。上述のように、本実施形態においては、広角レンズを用いて被写体２２とデジタルカメラ３０の距離を短くして撮影を行っている。図６（ａ）に示すように、被写体１２の全身を撮影する場合には、デジタルカメラ３０のレンズと被写体２２の頭部や足元との距離が異なる。デジタルカメラ３０と被写体２２の間の距離が短くなるほど、この距離の差の影響が大きくなり、撮影された画像において遠近感が誇張されてしまう。このため、被写体２２のデジタルカメラ３０に近い部分が大きく写り、遠い部分ほど画像が小さく写る歪みが生じる。また、図６（ｂ）に示すように、被写体の人物２２の全身を近接撮影する際等に、デジタルカメラ３０を下に傾けて撮影した場合に、上（頭部）の方が大きく、下（足元）のほうが小さく写る台形歪みが生じる。
【００４３】
図７は、撮影システム１０で撮影された画像の例を示す図である。図７に示すように、デジタルカメラ３０から遠い被写体２２の足元ほど小さくなっており、歪み補正用部材３６の目盛りの間隔は被写体２２の頭部付近で最大で足元ほど小さくなっている。
【００４４】
以下、歪み補正用部材３６を用いて歪みを補正する方法について説明する。図８〜図１０は、画像の歪みの補正方法を示す図である。
【００４５】
デジタルカメラ３０で撮影された画像は画像処理装置３２により処理される。まず、画像処理装置３２により歪み補正用部材３６の目盛りの位置が自動的に認識され、図８に示すように、この目盛りの位置に基づいて歪み補正用部材３６が直線になるように画像３８全体の補正が行われる。次に、図９に示すように、被写体２２の両側の歪み補正用部材３６が互いに平行になるように補正が行われる。その次に、図１０に示すように、歪み補正用部材３６の目盛りの間隔がそれぞれ等間隔になるように補正が行われる。これにより、画像３８全体の歪みが補正される。
【００４６】
なお、本実施形態においては、歪み補正用部材３６の目盛りの位置が自動的に認識されるようにしたが、自動認識の際の誤差を調整できるようにしてもよいし、画像処理装置３２において操作者がポインティングデバイス等で目盛りの位置を選択することにより手動で認識させるようにしてもよい。
【００４７】
次に、背景処理の方法について説明する。図１１は、背景処理の方法を模式的に示す図である。図１１に示す画像４０は、図１０で歪みの補正が行われた画像３８から歪み補正用部材３６の部分を切り取ったものである。
【００４８】
まず、画像４０の被写体２２の両側の領域４０Ｒ及び４０Ｌの画像をコピーし、それぞれ左右を反転させて画像４０の両端の領域４２Ｒ及び４２Ｌにそれぞれ張り付ける。これにより、画像の継ぎ目で背景の模様が途切れることなく、被写体２２の背景の横幅を拡げることができる。なお、この背景処理の際に上述のグレーチャート３７の画像が削除される。
【００４９】
なお、本実施形態においては、領域４０Ｒ及び４０Ｌの横幅を引き伸ばす処理を行って背景を拡げるようにしてもよい。この場合、背景部材（バック）１４の模様は、無地やムラバック、又は不規則な模様であることが好ましい。
【００５０】
また、本実施形態においては、図１０の画像３８から被写体２２の部分を切り取って、別の合成用背景画像と合成する処理を行うこともできる。この場合、ステップＳ１０において被写体２２を撮影する際に、被写体２２が合成用背景画像と色相や濃度が同じになるようにライティングを調整する。上述のように、本実施形態によれば、撮影時に被写体２２は軟調ライティングされるので、この色相や濃度の調整が容易である。
【００５１】
次に、本発明の別の実施形態について説明する。図１２は、本発明の第２の実施形態に係る撮影システムを示す平面図である。本実施形態の撮影システム１０は、第２のメインライト５０及び表示装置５２を備える。図中の符号５４は、第２のメインライト５０を取り付けるための部材である。
【００５２】
第２のメインライト５０は、反射部材（例えば、白色の布やスクリーン、レフ板等）５６に向けて配置されており、反射部材５６からの反射光で被写体２２を間接的に照明する。本実施形態の撮影システム１０においては、４灯のストロボ（スカイライト２４、フィルインライト２６、メインライト２８及び第２のメインライト５０）で被写体２２及びバック１４を照明する光量が均一になるように調整されている（軟調ライティング）。これにより、被写体２２の位置のずれによる影響が小さくなるため、ライティングの設定が容易になる。
【００５３】
表示装置５２は、画像処理装置３２を介してデジタルカメラ３０と接続されており、デジタルカメラ３０によって撮影された画像の確認や、画像の編集、加工結果の確認を行うためのモニタである。
【００５４】
図１３は、本発明の第２の実施形態に係る撮影方法を示すフローチャートである。まず、表示装置５２に被写体と合成するための背景が一覧表示され、図示せぬ操作入力手段により背景が選択される（ステップＳ３０）。すると、ステップＳ３０において選択された背景のライティングと略一致するように、被写体２２を左右から照明するメインライト２８及び５０の光量比が調整される（ステップＳ３２）。そして、ステップＳ３２において調整された光量比により各ストロボが発光して撮影が行われる（ステップＳ３４）。
【００５５】
次に、画像処理装置３２により撮影された画像の歪みの補正（ステップＳ３６）、及び画像のコントラストを上げる処理（ステップＳ３８）が行われる。この歪みの補正方法及びコントラストの処理方法については上述の実施形態と同様であるため説明を省略する。そして、撮影された画像から画像処理装置３２により被写体２２が切り出されて、ステップＳ３０において選択された背景と合成される（ステップＳ４０）。ステップＳ４０においては、例えば、図示せぬ照明手段により被写体２２を背後から照明して撮影した画像から被写体２２の影の画像を取得する。その次に、この被写体２２の影の画像に基づいて、撮影画像から被写体２２の部分を切り出すようにする。これにより、被写体の輪郭を容易に取得できる。
【００５６】
その次に、この画像が所定の形式に変換され所定の処理が施されて、プリンタ３４により画像のプリントが行われる（ステップＳ４２）。
【００５７】
本実施形態によれば、スタジオポートレート撮影を行う際に、狭いスタジオであっても、背景を自由に選択して合成できる。また、被写体２２の左右に配置された２つのストロボ（メインライト２８及び５０）の光量比を合成先の背景と同様にすることにより、違和感なく被写体と背景を合成することができる。
【００５８】
なお、上記の実施形態においては、歪み補正用部材３６は２本の柱状であったが、本発明はこれに限定されるものではない。例えば、図１４に示すように、画像の背景部材１４やスタジオユニット１２の床面６２に歪み補正用マーカ６０をペイントにより形成してもよい。この場合、歪み補正用マーカ６０の形状、大きさ及び位置に基づいて画像の歪みを補正できる。なお、図１４においては、三角形のマーカ６０が背景部材１４及び床面６２にそれぞれ２カ所ずつ形成されているが、マーカ６０の個数や形状は図１４に限定されるものではない。例えば、マーカ５４の形状は円形や多角形状であってもよい。また、歪み補正用マーカ６０は、背景部材１４やスタジオユニット１２の床面６２に発光ダイオード（ＬＥＤ）等の発光素子を埋め込むことにより形成してもよい。
【００５９】
また、上記の実施形態においては、グレーチャートを撮影するようにしたが、グレーチャート３７の代わりにカラーチャートを用いてもよい。このカラーチャートの画像を参照することにより、ホワイトバランスのほか、色合いの補正等を行うことができる。
【００６０】
また、上記の実施形態においては、フィルインライト２６からの照明光を反射部材２６に反射させることにより、照明の光量を調整するようにしたが、本発明の被写体の照明方法はこれに限定されるものではない。例えば、バンクを用いてフィルインライト２６からの照明光を拡散して光量が均一になるようにしてもよい。
【図面の簡単な説明】
【００６１】
【図１】本発明の一実施形態に係る撮影システムを示す斜視図
【図２】撮影システムを示す平面図
【図３】撮影システムの被写体向きの正面図
【図４】グレーチャートの例を示す平面図
【図５】本発明の一実施形態に係る撮影方法を示すフローチャート
【図６】近接撮影で生じる歪みを説明するための図
【図７】撮影システム１０で撮影された画像の例を示す図
【図８】画像の歪みの補正方法を示す図
【図９】画像の歪みの補正方法を示す図
【図１０】画像の歪みの補正方法を示す図
【図１１】背景処理の方法を模式的に示す図
【図１２】本発明の第２の実施形態に係る撮影システムを示す平面図
【図１３】本発明の第２の実施形態に係る撮影方法を示すフローチャート
【図１４】歪み補正用マーカを示す図
【符号の説明】
【００６２】
１０…撮影システム、１４…背景部材（バック）、１６…反射部材（レフ板）、２４…スカイライト、２６…フィルインライト、２８…メインライト、３０…デジタルカメラ、３２…画像処理装置、３４…プリンタ、３６…歪み補正用部材、３７…グレーチャート、５０…第２のメインライト、５２…表示装置、５６…反射部材、６０…歪み補正用マーカ、６２…スタジオユニットの床面
【図１】
2006050536.tif 000003
【図２】
2006050536.tif 000004
【図３】
2006050536.tif 000005
【図４】
2006050536.tif 000006
【図５】
2006050536.tif 000007
【図６】
2006050536.tif 000008
【図７】
2006050536.tif 000009
【図８】
2006050536.tif 000010
【図９】
2006050536.tif 000011
【図１０】
2006050536.tif 000012
【図１１】
2006050536.tif 000013
【図１２】
2006050536.tif 000014
【図１３】
2006050536.tif 000015
【図１４】
2006050536.tif 000016